(57)【要約】      （修正有）【課題】ティッシュペーパーボックスを自動車の運転席又は助手席の背面に固定して、所定の引張力によって、その背面から切り離すことができると共に、広告面を見やすくすることができるヘッドレスト装着用ティッシュペーパーボックスを提供する。【解決手段】正面にティッシュペーパーを取出せる取出口２０を有し、内部に積層した多数枚数のティッシュペーパーを収納する直方体状のヘッドレスト装着用ティッシュペーパーボックス１００であって、平面又は背面から延長して形成される延長片７が設けられ、挿入孔同士を繋ぐ切離し用ミシン目１０ａ、１０ｂが設けられ、前記延長片７は、折線９ａで折られて紙箱側領域７ｂの挿入孔８ａ、８ｂと先端側領域７ｃの挿入孔８ｃ、８ｄが重合し、２層構造のヘッドレスト軸挿入孔が形成され、前記ヘッドレスト軸挿入孔にヘッドレストの軸を挿入して、運転席又は助手席の背面に固定する。【選択図】図１
2014159296.tif 000002
【特許請求の範囲】
【請求項１】
正面にティッシュペーパーを取出せる取出口を有し、内部に積層した多数枚数のティッシュペーパーを収納する直方体状のヘッドレスト装着用ティッシュペーパーボックスであって、
前記ヘッドレスト装着用ティッシュペーパーボックスには、平面又は背面から延長して形成される延長片が設けられ、
前記延長片は、長手方向に設けられた折線を境に、先端側の先端側領域と根元側の紙箱側領域とを有し、前記紙箱側領域と前記先端側領域には挿入孔が形成され、前記挿入孔同士を繋ぐ切離し用ミシン目が設けられ、
前記延長片は、折線で折られて前記紙箱側領域の挿入孔と前記先端側領域の挿入孔が重合し、２層構造のヘッドレスト軸挿入孔が形成され、
前記ヘッドレスト軸挿入孔にヘッドレストの軸を挿入して、運転席又は助手席の背面に固定することができることを特徴とするヘッドレスト装着用ティッシュペーパーボックス。
【請求項２】
正面にティッシュペーパーを取出せる取出口を有し、内部に積層した多数枚数のティッシュペーパーを収納する直方体状のヘッドレスト装着用ティッシュペーパーボックスであって、
前記ヘッドレスト装着用ティッシュペーパーボックスには、平面又は背面から延長して形成される延長片が設けられ、
前記延長片は、ティッシュペーパーを取出す際に加わる後方への引張力より強い引張力よって切断される切離し用ミシン目が設けられ、前記切離し用ミシン目の途中位置に、自身を両方向に折り曲げることができる折り目を有する蓋部を有し、前記折り目で前記蓋部を折り曲げて挿入孔が形成され、
前記挿入孔にヘッドレストの軸を挿入して、運転席又は助手席の背面に固定することができることを特徴とするヘッドレスト装着用ティッシュペーパーボックス。
【請求項３】
前記取出口は、長辺寄りに設けられる、又は断面Ｌ字型形状であることを特徴とする請求項１又は請求項２に記載のヘッドレスト装着用ティッシュペーパーボックス。
【請求項４】
前記延長片に設けられた前記挿入孔の形状は、長円状又は長方形状であることを特徴とする請求項１から請求項３のいずれか１項に記載のヘッドレスト装着用ティッシュペーパーボックス。
【発明の詳細な説明】
【技術分野】
【０００１】
本発明は、ヘッドレストの軸を利用して固定されるヘッドレスト装着用ティッシュペーパーボックスに関する。
【背景技術】
【０００２】
通常、ティッシュペーパーボックスは六面体の直方体からなり、その正面部分や側面部分に自社名や自社商品等を印刷して宣伝活動に使用される。
【０００３】
また、その他の形状として、自動車内のドアパネルに着脱自在に取り付けることが可能なティッシュペーパーボックス（特許文献１）やティッシュペーパーボックスの背面部に傾斜支持片を設けたティッシュペーパーボックス（特許文献２）が提案されている。
【先行技術文献】
【特許文献】
【０００４】
【特許文献１】実用新案登録第３０７４５５２号公報
【特許文献２】特開２０１２−１５３３７９号公報
【発明の概要】
【発明が解決しようとする課題】
【０００５】
特許文献１の考案は、ティッシュペーパー収納紙箱における背面部を延長して延長片を形成し、その延長片を自動車内のドアパネルの窓ガラス支持溝内に挿入して使用するティッシュペーパーボックスである。
【０００６】
そして、特許文献１の考案は、紙箱ホルダー等の紙箱保持手段を別途購入する必要はなく、経済的であると共に、車内で邪魔となる紙箱保持手段を排除することができる効果を奏するものである。
【０００７】
しかし、特許文献１の考案は、単に、延長片が窓ガラス支持溝内に挿入されるだけであるため、ティッシュペーパーを抜き取った時に、その引張力でドアパネルから引き抜かれることが考えられ実用的でない。また、ドアパネルに設置されるので、座席に座る人が左右を見た時に初めてティッシュペーパーボックスに印刷された広告の内容が目に入るため、広告内容を効果的にアピールできなくなり、広告の内容が印象に残りづらくなる問題が生じる。更に、ドアパネルの窓ガラス支持溝内に、ティッシュペーパーボックスの延長片を差し込むため、延長片によって窓ガラスに傷を付けることになりかねない。
【０００８】
一方、本発明は、延長片を利用して、運転席又は助手席（以下、「運転席等」という）の背面に固定される。その際、延長片に形成された後述するヘッドレスト軸挿入孔等にヘッドレスの軸を挿入することにより運転席等に固定されるので、特許文献１の考案のように、ティッシュペーパーを取出す引張力で運転席等から本発明が引き抜かれるという問題は生じない。また、運転席等の背面に固定されるので、後部座席に座る人の目の前、又はその近くに本発明が設置されることとなり、後部座席に座る人に対して広告内容を効果的にアピールすることができると共に、窓ガラス等を傷つけることはない。
【０００９】
特許文献２の発明は、多数枚のティッシュペーパーを収納し正面にティッシュペーパーの取出口が設けられた直方体の紙箱の背面に、紙箱の後面を背面側に延長して傾斜支持片を設け、この傾斜支持片により箱体の背面にＬ字型のスタンドが形成されるティッシュペーパーボックスである。
【００１０】
そして、特許文献２の発明は、ティッシュペーパーボックが傾斜状態となれば、これまでの様に水平状態で置かれていた場合には見ることができなった面側から見た場合に、死角となっていた正面側を見ることができる。そのため、人がティッシュペーパーボックスを見る角度によって広告が印刷された面が見づらくなることがなくなるという効果、及び、正面と正面との２面に渡って広告を印刷した場合に、２面が連なった立体的な広告を見やすくする効果を奏することとなる。
【００１１】
しかし、特許文献２の発明は、本発明のように、一定の場所に固定されていないため、例えば、何らかの拍子で（清掃等で）、ティッシュペーパーボックスが人目の付かない場所に移動した場合には、そもそも広告としての役割を果たさないこととなる。
【００１２】
一方、本発明は、一定の場所に常に固定されているので、移動することがなく十分に広告としての役割を果たすこととなる。
【００１３】
以上のような実情に鑑みて、本発明は、上記課題を解決する手段としてヘッドレストの軸を利用して固定されるヘッドレスト装着用ティッシュペーパーボックスを提供するものである。
【課題を解決するための手段】
【００１４】
前記課題を解決するため本発明は、正面にティッシュペーパーを取出せる取出口を有し、内部に積層した多数枚数のティッシュペーパーを収納する直方体状のヘッドレスト装着用ティッシュペーパーボックスであって、前記ヘッドレスト装着用ティッシュペーパーボックスには、平面又は背面から延長して形成される延長片が設けられ、前記延長片は、長手方向に設けられた折線を境に、先端側の先端側領域と根元側の紙箱側領域とを有し、前記紙箱側領域と前記先端側領域には挿入孔が形成され、前記挿入孔同士を繋ぐ切離し用ミシン目が設けられ、前記延長片は、折線で折られて前記紙箱側領域の挿入孔と前記先端側領域の挿入孔が重合し、２層構造のヘッドレスト軸挿入孔が形成され、前記ヘッドレスト軸挿入孔にヘッドレストの軸を挿入して、運転席又は助手席の背面に固定することができることを特徴としている。
【００１５】
前記課題を解決するため本発明は、正面にティッシュペーパーを取出せる取出口を有し、内部に積層した多数枚数のティッシュペーパーを収納する直方体状のヘッドレスト装着用ティッシュペーパーボックスであって、前記ヘッドレスト装着用ティッシュペーパーボックスには、平面又は背面から延長して形成される延長片が設けられ、前記延長片は、ティッシュペーパーを取出す際に加わる後方への引張力より強い引張力よって切断される切離し用ミシン目が設けられ、前記切離し用ミシン目の途中位置に、自身を両方向に折り曲げることができる折り目を有する蓋部を有し、前記折り目で前記蓋部を折り曲げて挿入孔が形成され、前記挿入孔にヘッドレストの軸を挿入して、運転席又は助手席の背面に固定することができることを特徴としている。
【００１６】
また、前記取出口は、長辺寄りに設けられる、又は断面Ｌ字型形状であることが好ましい。
【００１７】
更に、前記延長片に設けられた前記挿入孔の形状は、長円状又は長方形状であることが好ましい。
【発明の効果】
【００１８】
本発明は、延長片に設けられたヘッドレスト軸挿入孔を介してヘッドレストの軸に固定されるので、後方への引張力に対する強度が増すこととなる。即ち、このヘッドレスト軸挿入孔は、延長片に設けられた折線を境に、延長片の先端側の先端側領域と根元側の紙箱側領域を２つに折って、この両領域が互いに重なり合って２層構造となっているため、ティッシュペーパーを取り出す際に働く引張力に対する強度を補強することとなる。そのため、折らない場合に比して、ティッシュペーパーを取出す引張力に対する強度が増すので、ティッシュペーパーを取り出す引張力以上の引張力によって初めて運転席等からヘッドレスト装着用ティッシュペーパーボックスが切り離されることとなる。
【００１９】
又、延長片には、自身を折り曲げることができる折り目を有する蓋部が設けられている。即ち、この折り目を軸に、内側から外側に蓋部を１８０度折り曲げることが可能となる。そのため、蓋部がない場合に比して、この折り目部分がティッシュペーパーを取り出す際に働く引張力に対する強度を補強する役目を果たすこととなるので、ティッシュペーパーの取り出す引張力に対する強度が増すこととなる。
【００２０】
本発明は、運転席等のヘッドレストの軸に挿入して、運転席等の背面に固定される。よって、後部座席に座る人の正面又は近辺にティッシュペーパー用取出口が設置させるので、後部座席に座った人は、ティッシュペーパーが取出しやすい。また、常に、印刷された広告の内容が視界に入るので、広告の内容が強く印象に残り、広告の内容を効果的にアピールすることができる。
【図面の簡単な説明】
【００２１】
【図１】実施例１に係るヘッドレスト装着用ティッシュペーパーボックスの斜視図である。
【図２】実施例１に係るヘッドレスト装着用ティッシュペーパーボックスを背面側から斜視で示した説明図であり、（ａ）が、延長片を折り曲げる前の状態を示す説明図、（ｂ）が、延長片を折り曲げてヘッドレスト軸挿入孔が形成された状態を示す説明図である。
【図３】実施例１に係るヘッドレスト装着用ティッシュペーパーボックスの展開図である。
【図４】実施例１に係るヘッドレスト装着用ティッシュペーパーボックスの使用状態を示す説明図であり、（ａ）が、ヘッドレストの軸に挿入した状態を示す説明図、（ｂ）が、運転席等の背面に固定した状態を示す説明図である。
【図５】実施例１に係るヘッドレスト装着用ティッシュペーパーボックスの延長片の変形例の展開図の一部を示す図である。
【図６】実施例２に係るヘッドレスト装着用ティッシュペーパーボックスの使用状態を示す説明図であり、（ａ）が、ヘッドレストの軸に挿入した状態を示す説明図、（ｂ）が、運転席等の背面に固定した状態を示す説明図である。
【図７】実施例３に係るヘッドレスト装着用ティッシュペーパーボックスの斜視図である。
【図８】実施例４に係るヘッドレスト装着用ティッシュペーパーボックスの斜視図である。
【発明を実施するための形態】
【００２２】
以下、各図面に基づいて本発明の実施の形態を説明する。
【００２３】
（実施例１）
図１に示すように、本発明に係るヘッドレスト装着用ティッシュペーパーボックス１００は、図示しない多数枚のティッシュペーパーを収納し、正面１にティッシュペーパー用取出口２０を形成するための開封用切取ミシン目２１が設けられた直方体の紙箱２００とその紙箱２００の長辺側の側面としての平面３を背面側に延長して形成される延長片７から構成されている。この延長片７の構成については、後に詳述する。
【００２４】
ヘッドレスト装着用ティッシュペーパーボックス１００の紙箱２００自体の形態は、延長片７を除けば従来の市販品のティッシュペーパーボックスと同様で、何ら変わらない形状をしており、紙箱２００内の形態も、従来の市販品のティッシュペーパーが詰められたティッシュペーパーボックスと同様である。但し、紙箱２００の背面（裏面）４には平面３が延長されることで、ヘッドレスト装着用ティッシュペーパーボックス１００を運転席等の背面に取付けるための延長片７が設けられている点が従来のティッシュペーパーボックスとは異なる。なお、本実施例１では、紙製のヘッドレスト装着用ティッシュペーパーボックスを例示するが、紙製に限られず、薄いプラスチック製や直方体形状を維持することができる程度に硬化処理がなされた布製などであってもよい。
【００２５】
延長片７は、図２（ａ）に示すように、紙箱２００の長辺側の側面としての平面３を、背面（裏面）４側に延長して形成されている。延長片７は、幅が紙箱２００の長辺の長さとほぼ同じ幅で、長さが背面（裏面）４の一方の長辺４ｂから他方の長辺４ｃ付近に達している。また、延長片７には、背面（裏面）４における平面３近傍側の一側４ａにて背面（裏面）４と糊付けにより接着させられる糊付領域７ａが設けられている。糊付領域７ａは、背面（裏面）４の長辺の長さとほぼ等しい長手の長さを有する略長方形の領域である。そして、後述する側部片の所定の箇所に糊付けすることにより、紙箱２００は直方体の箱状に維持されている。
【００２６】
延長片７は、図２（ａ）に示すように、根元側の紙箱側領域７ｂと先端側の先端側領域７ｃとからなる。そして、紙箱側領域７ｂには、紙箱２００の長辺方向と同じ方向に３本の山折線９ｂ〜９ｄと２つの挿入孔８ａ、８ｂが、先端側領域７ｃには、２つの挿入孔８ｃ、８ｄが設けられている。そして、挿入孔８ａと挿入孔８ｃ、挿入孔８ｂと挿入孔８ｄは、それぞれ山折線９ａを軸に対称の位置に形成されている。また、延長片７には、山折線９ａと直交している挿入孔８ａ、８ｃと挿入孔８ｂ、８ｄを繋ぐ切離し用ミシン目１０ａ、１０ｂが設けられている。
【００２７】
挿入孔８ａ〜ｄの大きさは、少なくとも、ヘッドレストの軸が挿入できる程度の大きさであればよい。また、本実施例１では、挿入孔の形状を長円形状としているが、長方形状であってもよく、これらの形状に限定されるものではない。
【００２８】
山折線９ａは、延長片７の面上の先端側よりで紙箱２００の長辺方向と同じ方向に設けられている。そして、図２（ｂ）に示すように、山折線９ａを軸に折ることにより、紙箱側領域７ｂに設けられた挿入孔８ａ、８ｂと先端側領域７ｃに設けられた挿入孔８ｃ、８ｄがそれぞれ重合してヘッドレスト軸挿入孔１１が形成される。又、他の山折線９ｂ〜９ｄは、延長片７の面上の紙箱側よりで紙箱２００の長辺方向と同じ方向に設けられている。そして、この山折線９ｂ〜９ｄは、運転席等の背面部分にヘッドレスト装着用ティッシュペーパーボックス１００が適合するように、それぞれ折ることができる。よって、この山折線９ｂ〜９ｄがあれば、例えば、背面部分に起伏のある運転席等であっても、ヘッドレスト装着用ティッシュペーパーボックス１００が運転席等に適合することとなる。なお、山折線９ｂ〜９ｄは、延長片７を折りやすくするための線であり、通常の折り目の他、ミシン目とすることもできる。
【００２９】
図２（ａ）に示すように切離し用ミシン目１０ａは、挿入孔８ａと挿入孔８ｃの長辺の略中央位置から、切離し用ミシン目１０ｂは挿入孔８ｂと挿入孔８ｄの長辺の略中央位置から、それぞれ挿入孔８ａと挿入孔８ｃ、挿入孔８ｂと挿入孔８ｄを繋ぐようにして、山折線９ａと直交するようにして形成されている。そして、運転席等の背面に固定されたヘッドレスト装着用ティッシュペーパーボックス１００を切り離す際には、切離し用ミシン目１０ａ、１０ｂに沿って、切り離されることとなるため、ヘッドレストを一旦、運転席等から取り外す作業が無くなる。
【００３０】
次に、図３及び図４に基づいて、本実施例１に係るヘッドレスト装着用ティッシュペーパーボックス１００の組立方法、運転席等への固定方法、及び切離し方法の概略について説明する。
【００３１】
（組立方法）
図３に示すように、ヘッドレスト装着用ティッシュペーパーボックス１００の組立前において、所定の長さ、幅を有する厚紙からくり抜き、上から延長片７、平面３、正面１、底面２、背面（裏面）４の順に連続した所定の形状の一枚の展開紙片３００とする。その際、平面３、正面１、底面２、背面（裏面）４にはそれぞれ、組立時に側面となる側面片５ａ〜５ｄ、６ａ〜６ｄを形成する。また、延長片７には４つの挿入孔８ａ〜８ｄ、４本の山折線９ａ〜９ｄ、及び２本の切離し用ミシン目１０ａ、１０ｂを、それぞれ形成する。
【００３２】
また、図３において斜線で示される領域は、延長片７や側部片５ａ〜５ｄ、６ａ〜６ｄの糊付けされる部分を示すものである。一点鎖線で示されるのは、ヘッドレスト装着用ティッシュペーパーボックス１００を組み立てる際に折り目となる部分である。二重破線等で示されるのは、ティッシュペーパー用取出口２０を形成するための開封用切取ミシン目２１である。なお、ティッシュペーパー用取出口２０の長辺のうち１辺は、ミシン目とはせずに通常の折り目としてもよい。この場合、ティッシュペーパー用取出口２０の紙片部分は、折り目を介して紙箱２００の正面１と繋がり、ティッシュペーパー用取出口２０のフタのような構成となる。
【００３３】
そして、図３の所定の形状の一枚の展開紙片３００を、一点鎖線に沿って折り曲げるとともに、延長片７の糊付領域７ａや側部片５ａ〜５ｄ、６ａ〜６ｄの糊付けされる部分を糊付けする。そして、延長片７の山折線９ａで山折りすれば、図２（ｂ）に示すような本実施例１に係るヘッドレスト装着用ティッシュペーパーボックス１００となる。
【００３４】
（固定方法）
図２（ｂ）に示すように、延長片７に設けられた山折線９ａを軸に山折に折ることにより、紙箱側領域７ｂに設けられた挿入孔８ａ、８ｃと先端側領域６ｃに設けられた挿入孔８ｂ、８ｄがそれぞれ重合して、ヘッドレスト軸挿入孔１１が形成される。そして、図４（ａ）に示すように、このヘッドレスト軸挿入孔１１にヘッドレストの軸４１０を挿入して、この状態で運転席等に設けられた穴部にヘッドレストの軸を挿入すれば、図４（ｂ）に示すように、運転席等の背面部にヘッドレスト装着用ティッシュペーパーボックス１００が固定されることとなる。この際、例えば、背面部に起伏がありうまく固定されない（フィットしない）場合には、延長片７に設けられた山折線９ｂ〜９ｄを利用することにより調整が可能となる。
【００３５】
このように固定されれば、後部座席に座った人の目の前、又は近傍にヘッドレスト装着用ティッシュペーパーボックス１００があるので、ティッシュペーパーが取出しやすく、また、広告の内容が視覚に入りやすいので、紙箱２００に印刷された広告の内容を見る（読む）こととなり、その結果、広告の内容が強く印象に残り、広告内容を効果的にアピールすることができる。
【００３６】
（切離し方法）
切離し方法は、運転席等に固定されているヘッドレスト装着用ティッシュペーパーボックス１００の側面等を両手で持ち、所定の力で手前に引っ張るだけで、延長片７に設けられた切離し用ミシン目１０ａ、１０ｂに沿って、ヘッドレスト装着用ティッシュペーパーボックス１００が運転席等から切り離されることとなる。そのため、切り離す際には、ヘッドレストを運転席等から一旦外す手間が省けるので、無駄な作業がなくなり効率的である。
【００３７】
ヘッドレスト軸挿入孔１１は、山折線９ａを軸に延長片７を２つに折って紙箱側領域７ｂと先端側領域７ｃが互いに重なり合って２層構造となるため、ティッシュペーパーを取り出す際に働く引張力に対する強度を補強されることとなる。そのため、折らない場合に比して、ティッシュペーパーを取出す引張力に対する強度が増すので、ティッシュペーパーを取り出す引張力以上の引張力によって初めて運転席等からヘッドレスト装着用ティッシュペーパーボックス１００が切り離される構造となる。この構造により、ヘッドレストの軸から容易にヘッドレスト装着用ティッシュペーパーボックス１００が切り離されることがなく、安定性がある。
【００３８】
（実施例２）
本実施例２に係るヘッドレスト装着用ティッシュペーパーボックスの延長片７は、実施例１の延長片に代えて、図５に示すように、延長片７の切離し用ミシン目１０ｃの途中位置に２つの挿入孔の蓋の役割を果たす蓋部１２ａ、１２ｂが設けられている。なお、それ以外の構成、及び組立方法は、基本的に実施例１のヘッドレスト装着用ティッシュペーパーボックス１００と同様であり、以下に、本実施例２に係る固定方法及び切離し方法について説明する。
【００３９】
（固定方法）
延長片７には、２つの挿入孔の蓋の役割を果たす蓋部１２ａ、１２ｂが設けられている。その蓋部１２ａ、１２ｂの一方の長辺に折り目１４ａ、１４ｂが形成されているため、蓋部１２ａ、１２ｂに対して、外方から内方に向かって力を加えることにより、その折り目を軸に蓋部１２ａ、１２ｂが内側から外側に延長片７の先端側の方へ１８０度折り曲げられ、ヘッドレスト軸挿入孔１１が形成される。
【００４０】
そして、図６（ａ）に示すように、蓋部１２ａ、１２ｂを１８０度に曲げた状態で、ヘッドレスト軸挿入孔１１にヘッドレストの軸４１０を挿入して、図６（ｂ）に示すように、運転席等の背面にヘッドレスト装着用ティッシュペーパーボックス１００を固定する。
【００４１】
（切離し方法）
切離し方法は、実施例１と同様であり、所定の力で手前に引っ張るだけで、延長片７に設けられた切離し用ミシン目１０ｃに沿って、ヘッドレスト装着用ティッシュペーパーボックス１００が運転席等から切り離されることとなる。そのため、切り離す際には、ヘッドレストを運転席等から一旦外す手間が省けるので、無駄な作業がなくなり効率的である。
【００４２】
ヘッドレスト軸挿入孔１１は、折り目を軸に蓋部１２ａ、１２ｂを外側から内側に延長片７の先端側へ１８０度に折って形成されるため、この先端側に設けられた折り目部分がティッシュペーパーを取り出す際に働く引張力に対する強度を補強する役目を果たすこととなる。そのため、蓋部がない場合に比して、引張力に対する強度が増すこととなるので、ティッシュペーパーを取出す引張力以上の引張力によって初めて運転席等からヘッドレスト装着用ティッシュペーパーボックス１００が切り離される構造となる。この構造により、ヘッドレストの軸から容易にヘッドレスト装着用ティッシュペーパーボックス１００が切り離されることがなく、安定性がある。
【００４３】
（実施例３）
本実施例３に係るヘッドレスト装着用ティッシュペーパーボックス１００では、図７に示すように、ティッシュペーパー用取出口２０が、紙箱２００の正面１の中央よりも長辺１３ａ寄りに設けられている。また、ティッシュペーパー用取出口２０は、箱体の正面１の中央よりも長辺１３ｂ寄りに設けることもできる。なお、紙箱および延長片の構成は、実施例１又は２と同じとすればよい。
【００４４】
上述の構成としたことにより、紙箱２００の正面１の他方の長辺１３ｂからティッシュペーパー用取出口２０までの間が広がり、広告として利用できるスペースを広くとることができるヘッドレスト装着用ティッシュペーパーボックスを提供することができる。そのため、後部座席に座る人に対し、印刷された広告の内容が視界に入ることとなり、広告の内容が強く印象に残り、広告の内容を効果的にアピールすることができる。また、広げられたスペースは、広告スペースとしての利用だけではなく、例えば、図７に例示するように、カレンダーを印刷したり、空白にしておいて後から書き込むといった多目的スペースとして利用することもできる。
【００４５】
（実施例４）
本実施例４に係るヘッドレスト装着用ティッシュペーパーボックス１００は、図８に示すように、ティッシュペーパー取出口２０が、紙箱２００の正面１の中央よりも長辺１３ａに寄り、特に、長辺１３ａの一部を含んだ紙箱２００の角部に設けられている。すなわち、ティッシュペーパー取出口２０は、紙箱２００の正面１から一方の長辺１３ａを経て、紙箱２００の平面３に渡って断面Ｌ字型として設けられている。なお、上述したように本実施例４に係るヘッドレスト装着用ティッシュペーパーボックス１００のティッシュペーパー用取出口２０は立体的な形態であるが、ティッシュペーパー用取出口２０の構成の説明を理解しやすくするために、以下、ティッシュペーパー用取出口２０の形状を、紙箱２００の正面１から平面３へまたがる略長方形として説明する。
【００４６】
ティッシュペーパー用取出口２０は略長方形であり、一方の長辺１３ｅが紙箱２００の長辺１３ａに平行して正面１上に設けられ、他方の長辺１３ｃが紙箱２００の長辺１３ａに平行して紙箱２００の平面３上に設けられている。そして、ティッシュペーパー用取出口２０の長辺１３ｃ、１３ｅの端部同士が、紙箱２００の正面１から平面３に渡って設けられた短辺によって繋がれて、略長方形のティッシュペーパー用取出口２０が形成されている。長辺１３ｃのほぼ中央には、ティッシュペーパー用取出口２０を開封しやすくするための凸状のつまみ部が設けられている。本実施例４では、ティッシュペーパー用取出口２０の一方の長辺１３ｅは、折り目により形成され、他方の長辺１３ｃおよび短辺はミシン目で形成されている。したがって、ミシン目のみを切り離せば、切り離された紙片は、ティッシュペーパー用取出口２０の一方の長辺１３ｅを介して紙箱２００の正面１と繋げられ、ティッシュペーパー用取出口２０のフタ部分となる。なお、ティッシュペーパー用取出口２０の一方の長辺１３ｅはミシン目であってもよい。なお、紙箱および傾斜支持片の構成は、実施例１又は２と同じとすればよい。
【００４７】
上述の構成としたことにより、実施例３と同様に広告として利用できるスペースを広くとることができるティッシュペーパーボックスを提供することができる。特に、本実施例４に係るヘッドレスト装着用ティッシュペーパーボックス１００は、ティッシュペーパー用取出口２０の一方の長辺１３ｅが、折り目により形成され、他方の長辺１３ｃおよび短辺はミシン目で形成されている。したがって、ミシン目のみを切り離せば、切り離された紙片はティッシュペーパー用取出口２０の一方の長辺１３ｅを介して紙箱２００の正面１と繋げられているため、ティッシュペーパー用取出口２０のフタ部分となり、フタ部分の表にも広告を印刷することができる。この場合、例えば図８において、紙箱２００の底面２、正面１およびティッシュペーパー用取出口２０フタ部分の３面に渡って広告をつなげることもできるため、広告をより立体的で見やすくすることもできる。
【００４８】
以上、本発明のいくつかの実施例を詳述したが、本発明は上記実施例に限定されるものではない。例えば、上記実施例の延長片は、平面を背面（裏面）側に延長して形成されているが、背面（裏面）をそのまま延長させることにより、延長片を形成させることもできる。また、延長片を紙箱に貼り付けて本発明を構成してもよい。その他、本発明は、特許請求の範囲に記載された事項を逸脱することがなければ、種々の設計変更を行うことが可能である。
【００４９】
また、本発明は、紙箱の長辺を横向きにしてヘッドレストに固定させたものであるが、横向きの固定に限定されるものでなく、縦向きにして、これに対応するように延長片を設けてヘッドレストに固定されることであっても構わない。
【符号の説明】
【００５０】
１                          正面
２                          底面
３                          平面
４                          背面
５ａ、ｂ、ｃ、ｄ            側面片
６ａ、ｂ、ｃ、ｄ            側面片
７                          延長片
７ａ                        糊付領域
７ｂ                        紙箱側領域
７ｃ                        先端側領域
８ａ、ｂ、ｃ、ｄ、ｅ、ｆ    挿入孔
９ａ、ｂ、ｃ、ｄ            山折線
１０ａ、ｂ、ｃ              切離し用ミシン目
１１                        ヘッドレスト軸挿入孔
１２ａ、ｂ                  蓋部
１３ａ、ｂ、ｃ、ｄ、ｅ      長辺
１４ａ、ｂ                  折り目
１００                      ヘッドレスト装着用ティッシュペーパーボックス
２００                      紙箱
３００                      展開紙片
４００                      ヘッドレスト
４１０                      ヘッドレストの軸
【図１】
2014159296.tif 000003
【図２】
2014159296.tif 000004
【図３】
2014159296.tif 000005
【図４】
2014159296.tif 000006
【図５】
2014159296.tif 000007
【図６】
2014159296.tif 000008
【図７】
2014159296.tif 000009
【図８】
2014159296.tif 000010